(57)【要約】【課題】通常のＲＳＳリーダ等から出力・転送・返信等の操作を指示することのできるユーザインタフェースを表示させることのできるメタデータ生成方法を提供する。【解決手段】構造化言語により記述されたメタデータを生成する方法であって、メタデータの対象となる画像を含むコンテンツをコンテンツ保持部から取得する工程と、配信先からのネットワークを介したメタデータ配信のリクエストを解析する工程と、メタデータ配信のリクエストの解析結果から所定の操作に対するユーザインタフェースを付加する必要性を判断する工程と、所定の操作に対するユーザインタフェースの付加が必要であると判断される場合に、所定の操作に対するユーザインタフェースを生成するデータを、ネットワークを介してリクエスト元に配信するメタデータに付加する工程とを備える。【選択図】図６
2008079293.tif 000002
【特許請求の範囲】
【請求項１】
構造化言語により記述されたメタデータを生成する方法であって、
メタデータの対象となる画像を含むコンテンツをコンテンツ保持部から取得する工程と、
配信先からのネットワークを介したメタデータ配信のリクエストを解析する工程と、
メタデータ配信のリクエストの解析結果から所定の操作に対するユーザインタフェースを付加する必要性を判断する工程と、
所定の操作に対するユーザインタフェースの付加が必要であると判断される場合に、所定の操作に対するユーザインタフェースを生成するデータを、ネットワークを介してリクエスト元に配信するメタデータに付加する工程とを備えたことを特徴とするメタデータ生成方法。
【請求項２】
請求項１に記載のメタデータ生成方法において、
ネットワークを介したメタデータ配信のリクエストに含まれるリクエスト元のクライアントのタイプ、ユーザＩＤ、もしくは、ＩＰアドレスに基づいて、所定の操作に対するユーザインタフェースを付加する必要性を判断することを特徴とするメタデータ生成方法。
【請求項３】
請求項１または２のいずれか一項に記載のメタデータ生成方法において、
付加されるユーザインタフェースを生成するデータは、メタデータを解釈して表示するクライアント側の処理系に対し、確認画面を表示させ、当該確認画面での確認をもって所定の処理を起動させることを特徴とするメタデータ生成方法。
【請求項４】
請求項１または２のいずれか一項に記載のメタデータ生成方法において、
付加されるユーザインタフェースを生成するデータは、メタデータを解釈して表示するクライアント側の処理系に対し、入力画面を表示させ、当該入力画面への入力完了をもって確認画面を表示させ、当該確認画面での確認をもって所定の処理を起動させることを特徴とするメタデータ生成方法。
【請求項５】
請求項１乃至４のいずれか一項に記載のメタデータ生成方法において、
上記メタデータはＲＳＳであり、
上記ユーザインタフェースを生成するデータは、ＨＴＭＬもしくはＸＭＬのform要素およびinput要素による記述であることを特徴とするメタデータ生成方法。
【請求項６】
請求項１乃至４のいずれか一項に記載のメタデータ生成方法において、
上記メタデータはＲＳＳであり、
上記ユーザインタフェースを生成するデータは、ネームスペースで定義したユーザインタフェースの記述を呼び出す記述であることを特徴とするメタデータ生成方法。
【請求項７】
請求項１乃至４のいずれか一項に記載のメタデータ生成方法において、
上記メタデータはＲＳＳであり、
上記ユーザインタフェースを生成するデータは、ＨＴＭＬもしくはＸＭＬのcategory要素でＵＩを呼び出す記述であることを特徴とするメタデータ生成方法。
【請求項８】
構造化言語により記述されたメタデータを生成して配信する機能を有した装置であって、
メタデータの対象となる画像を含むコンテンツをコンテンツ保持部から取得する手段と、
配信先からのネットワークを介したメタデータ配信のリクエストを解析する手段と、
メタデータ配信のリクエストの解析結果から所定の操作に対するユーザインタフェースを付加する必要性を判断する手段と、
所定の操作に対するユーザインタフェースの付加が必要であると判断される場合に、所定の操作に対するユーザインタフェースを生成するデータを、ネットワークを介してリクエスト元に配信するメタデータに付加する手段とを備えたことを特徴とするメタデータ配信機能付き電子装置。
【請求項９】
請求項８に記載のメタデータ配信機能付き電子装置において、
ネットワークを介したメタデータ配信のリクエストに含まれるリクエスト元のクライアントのタイプ、ユーザＩＤ、もしくは、ＩＰアドレスに基づいて、所定の操作に対するユーザインタフェースを付加する必要性を判断することを特徴とするメタデータ配信機能付き電子装置。
【請求項１０】
請求項８または９のいずれか一項に記載のメタデータ配信機能付き電子装置において、
付加されるユーザインタフェースを生成するデータは、メタデータを解釈して表示するクライアント側の処理系に対し、確認画面を表示させ、当該確認画面での確認をもって所定の処理を起動させることを特徴とするメタデータ配信機能付き電子装置。
【請求項１１】
請求項８または９のいずれか一項に記載のメタデータ配信機能付き電子装置において、
付加されるユーザインタフェースを生成するデータは、メタデータを解釈して表示するクライアント側の処理系に対し、入力画面を表示させ、当該入力画面への入力完了をもって確認画面を表示させ、当該確認画面での確認をもって所定の処理を起動させることを特徴とするメタデータ配信機能付き電子装置。
【請求項１２】
請求項８乃至１１のいずれか一項に記載のメタデータ配信機能付き電子装置において、
上記メタデータはＲＳＳであり、
上記ユーザインタフェースを生成するデータは、ＨＴＭＬもしくはＸＭＬのform要素およびinput要素による記述であることを特徴とするメタデータ配信機能付き電子装置。
【請求項１３】
請求項８乃至１１のいずれか一項に記載のメタデータ配信機能付き電子装置において、
上記メタデータはＲＳＳであり、
上記ユーザインタフェースを生成するデータは、ネームスペースで定義したユーザインタフェースの記述を呼び出す記述であることを特徴とするメタデータ配信機能付き電子装置。
【請求項１４】
請求項８乃至１１のいずれか一項に記載のメタデータ配信機能付き電子装置において、
上記メタデータはＲＳＳであり、
上記ユーザインタフェースを生成するデータは、ＨＴＭＬもしくはＸＭＬのcategory要素でＵＩを呼び出す記述であることを特徴とするメタデータ配信機能付き電子装置。
【発明の詳細な説明】
【技術分野】
【０００１】
本発明は、ＲＳＳ（RDF(Resource Description Framework) Site Summary、Rich Site Summary、Really Simple Syndication）等の構造化言語により記述されたメタデータを配信する機能を有した機器におけるメタデータ生成方法に関する。
【背景技術】
【０００２】
昨今、ＲＳＳを活用した技術が注目を集めており、ＦＡＸ受信履歴をＲＳＳにより配信する機能を有したＦＡＸ装置等が提供されるに至っている（例えば、特許文献１参照。）。
【０００３】
図１は従来のＲＳＳ配信機能付きＦＡＸ装置から取得したＲＳＳをＲＳＳリーダで閲覧する場合の画面例を示す図であり、ＰＣ（Personal Computer）等のクライアント上のＲＳＳリーダ画面３００において受信案件（アイテム）毎に受信日時３０１、送信元３０２、プレビュー画像３０３等の情報が表示されるようになっている。
【特許文献１】特開２００６−５４７３２号公報
【発明の開示】
【発明が解決しようとする課題】
【０００４】
上述したように、ＲＳＳ配信機能付きＦＡＸ装置ではＦＡＸ受信履歴を遠隔のクライアントから容易に確認できることから利便性の向上が達成されるものではあるが、ＲＳＳリーダからはＦＡＸ受信履歴を確認することしかできず、ＦＡＸ受信画像を出力（印刷）したり転送したりするには、別途、ＦＡＸ管理用のＷｅｂシステム等にアクセスしなければならず、操作が煩雑であるという問題があった。
【０００５】
本発明は上記の従来の問題点に鑑み提案されたものであり、その目的とするところは、通常のＲＳＳリーダ等から出力・転送・返信等の操作を指示することのできるユーザインタフェース（ＵＩ：User Interface）を表示させることのできるメタデータ生成方法を提供することにある。
【課題を解決するための手段】
【０００６】
上記の課題を解決するため、本発明にあっては、請求項１に記載されるように、構造化言語により記述されたメタデータを生成する方法であって、メタデータの対象となる画像を含むコンテンツをコンテンツ保持部から取得する工程と、配信先からのネットワークを介したメタデータ配信のリクエストを解析する工程と、メタデータ配信のリクエストの解析結果から所定の操作に対するユーザインタフェースを付加する必要性を判断する工程と、所定の操作に対するユーザインタフェースの付加が必要であると判断される場合に、所定の操作に対するユーザインタフェースを生成するデータを、ネットワークを介してリクエスト元に配信するメタデータに付加する工程とを備えるメタデータ生成方法を要旨としている。
【０００７】
また、請求項２に記載されるように、請求項１に記載のメタデータ生成方法において、ネットワークを介したメタデータ配信のリクエストに含まれるリクエスト元のクライアントのタイプ、ユーザＩＤ、もしくは、ＩＰアドレスに基づいて、所定の操作に対するユーザインタフェースを付加する必要性を判断するようにすることができる。
【０００８】
また、請求項３に記載されるように、請求項１または２のいずれか一項に記載のメタデータ生成方法において、付加されるユーザインタフェースを生成するデータは、メタデータを解釈して表示するクライアント側の処理系に対し、確認画面を表示させ、当該確認画面での確認をもって所定の処理を起動させるようにすることができる。
【０００９】
また、請求項４に記載されるように、請求項１または２のいずれか一項に記載のメタデータ生成方法において、付加されるユーザインタフェースを生成するデータは、メタデータを解釈して表示するクライアント側の処理系に対し、入力画面を表示させ、当該入力画面への入力完了をもって確認画面を表示させ、当該確認画面での確認をもって所定の処理を起動させるようにすることができる。
【００１０】
また、請求項５に記載されるように、請求項１乃至４のいずれか一項に記載のメタデータ生成方法において、上記メタデータはＲＳＳであり、上記ユーザインタフェースを生成するデータは、ＨＴＭＬもしくはＸＭＬのform要素およびinput要素による記述であるものとすることができる。
【００１１】
また、請求項６に記載されるように、請求項１乃至４のいずれか一項に記載のメタデータ生成方法において、上記メタデータはＲＳＳであり、上記ユーザインタフェースを生成するデータは、ネームスペースで定義したユーザインタフェースの記述を呼び出す記述であるものとすることができる。
【００１２】
また、請求項７に記載されるように、請求項１乃至４のいずれか一項に記載のメタデータ生成方法において、上記メタデータはＲＳＳであり、上記ユーザインタフェースを生成するデータは、ＨＴＭＬもしくはＸＭＬのcategory要素でＵＩを呼び出す記述であるものとすることができる。
【００１３】
また、請求項８〜１４に記載されるように、メタデータ配信機能付き電子装置として構成することができる。
【発明の効果】
【００１４】
本発明のメタデータ生成方法にあっては、ＲＳＳ等のメタデータにユーザインタフェースを生成するためのデータの記述を含めるようにしたので、通常のＲＳＳリーダ等から出力・転送・返信等の操作を行うことができ、利便性の更なる向上を図ることができる。
【発明を実施するための最良の形態】
【００１５】
以下、本発明の好適な実施形態につき説明する。
【００１６】
図２は本発明を適用したＲＳＳ配信機能付きＦＡＸ装置を含むシステムの構成例を示す図である。
【００１７】
図２において、ＲＳＳ配信機能付きＦＡＸ装置１はネットワーク２と接続され、ネットワーク２にはユーザの操作するＰＣ等のクライアント３が接続されている。クライアント３には汎用のＲＳＳリーダ（メタデータであるＲＳＳを解釈して表示する処理系）が備えられているものとする。
【００１８】
図３はＲＳＳ配信機能付きＦＡＸ装置１の構成例を示す図である。
【００１９】
図３において、ＲＳＳ配信機能付きＦＡＸ装置１は、ネットワーク２を介したクライアント３からのリクエスト（ＨＴＴＰ（Hyper Text Transfer Protocol）によるリクエスト）を受け付けるリクエスト受付部１１と、リクエストに対するレスポンス（ＨＴＴＰによるレスポンス）を出力するレスポンス出力部１２と、ＲＳＳ取得のリクエストを行ってきたクライアント３に応じてＵＩを含んだＲＳＳフィードを生成するＦｅｅｄ／ＵＩ生成部１３と、他のＦＡＸ装置等とＦＡＸデータの送受信を行うＦＡＸ送受信部１７と、ＦＡＸ受信画像の印刷を行う印刷部１８とを備えている。
【００２０】
Ｆｅｅｄ／ＵＩ生成部１３は、ＦＡＸ送受信履歴のコンテンツ（送受信ＦＡＸ画像、送信元、宛先、送受信日時、ＦＡＸ画像ＩＤ等）を保持するコンテンツ保持部１４と、クライアント３からのリクエストを処理するリクエスト処理部１５と、ＲＳＳフィードを生成するＦｅｅｄ生成部１６とを備えている。
【００２１】
図４はクライアント３の構成例を示す図である。
【００２２】
図４において、クライアント３は、ネットワーク２を介してＲＳＳ配信機能付きＦＡＸ装置１にＲＳＳ取得のリクエストを送信するリクエスト送信部３１と、処理に必要なパラメータ（to、id、user等）を生成するパラメータ生成部３２と、ＵＩを表示するＵＩ表示部３３とを備えている。
【００２３】
ＵＩ表示部３３は、ネットワーク２を介してＲＳＳ配信機能付きＦＡＸ装置１からレスポンスを受け付けるレスポンス受付部３４と、レスポンスに含まれるＲＳＳを解析するＲＳＳ解析部３５と、ＵＩ情報（タグ名、処理内容、ＵＩ部品等）を保持するＵＩ情報保持部３６と、ＲＳＳの解析結果に応じてＵＩを表示する解析結果表示部３７とを備えている。
【００２４】
図５はシステムの処理例を示すシーケンス図である。
【００２５】
図５において、クライアント３からＲＳＳ配信機能付きＦＡＸ装置１にＲＳＳ取得のリクエストを送信すると（ステップＳ１０１）、ＲＳＳ配信機能付きＦＡＸ装置１のＦｅｅｄ／ＵＩ生成部１３はＵＩ付きＦｅｅｄを生成し（ステップＳ１０２）、クライアント３にレスポンスとして送信する（ステップＳ１０３）。
【００２６】
クライアント３ではレスポンスのＲＳＳに含まれるＵＩに基づいてＵＩ表示を行う（ステップＳ１０４）。
【００２７】
そして、クライアント３からＵＩの操作によりＲＳＳ配信機能付きＦＡＸ装置１に対してリクエストを送信すると（ステップＳ１０５）、必要に応じてＲＳＳ配信機能付きＦＡＸ装置１から情報入力画面のデータをクライアント３に送信し（ステップＳ１０６）、クライアント３ではこれに応じて入力したデータをＲＳＳ配信機能付きＦＡＸ装置１に送信する（ステップＳ１０７）。
【００２８】
最終的に、ＲＳＳ配信機能付きＦＡＸ装置１から確認画面のデータをクライアント３に送信し（ステップＳ１０８）、クライアント３は確認を行うことで確認のデータをＲＳＳ配信機能付きＦＡＸ装置１に送信する（ステップＳ１０９）。
【００２９】
これにより、ＲＳＳ配信機能付きＦＡＸ装置１ではクライアント３からのＵＩによる操作に応じた印刷（出力）、転送もしくは返信の処理を行う（ステップＳ１１０）。
【００３０】
図６はＲＳＳ配信機能付きＦＡＸ装置１におけるＵＩ付きＦｅｅｄ生成の処理例を示すフローチャートである。
【００３１】
図６において、リクエスト受付部１１がクライアント３からＲＳＳ取得のリクエストを受け付けると、ＲＳＳ配信機能付きＦＡＸ装置１のＦｅｅｄ／ＵＩ生成部１３は、該当するコンテンツ（送受信ＦＡＸ画像、送信元、宛先、送受信日時、ＦＡＸ画像ＩＤ等）をコンテンツ保持部１４から取得する（ステップＳ１１１）。
【００３２】
次いで、クライアント３からのリクエストをリクエスト処理部１５により解析する（ステップＳ１１２）。図７（ａ）〜（ｃ）の左側にリクエストの例（ホスト「fax.example.com」に対してＧＥＴメソッドによりＲＳＳの取得をリクエスト）を示すが、リクエスト処理部１５はリクエストに含まれるコマンド「GET /received/rss.xml HTTP/1.1」、ホスト名「Host:fax.example.com」、付加情報「User-Agent:FAX-RSS-Reader/1.0」「Authorization: Basic Zm9vOmJhcg==」、リクエスト元ＩＰ（Internet Protocol）アドレス等を抽出する。なお、「Authorization: Basic Zm9vOmJhcg==」の「Zm9vOmJhcg==」部分はＢａｓｅ６４と呼ばれるエンコード方式で変換された文字列を示しており、リクエスト処理部１５は解析にあたってそのデコードも併せて行なう。この場合、「Zm9vOmJhcg==」は「foo : bar」に変換され、前半の「foo」はユーザ名、後半の「bar」はパスワードを示している。
【００３３】
次いで、図６に戻り、Ｆｅｅｄ／ＵＩ生成部１３は、リクエスト内容（要求するＲＳＳのタイプ、クライアントのタイプ、ユーザＩＤ、クライアントのＩＰアドレス等）からＵＩ付加の必要性を判断する（ステップＳ１１３）。
【００３４】
このＵＩ付加の必要性の判断にあっては、ＵＩ付加が必要なクライアントの情報を予め登録したクライアントリストを用いる。図７（ａ）のようにリクエストにクライアントのタイプを示すユーザエージェント（User-Agent）を付加情報として含める場合にあっては、ＵＩ付加が必要なクライアントのユーザエージェントを予め登録したクライアントリストを用い、リクエストから抽出したクライアントのユーザエージェントがクライアントリストに登録されている場合にはＵＩ付加が必要であると判断する。ここでは、ユーザエージェントとして「FAX-RSS-Reader/1.0」が抽出されたとすると、「FAX-RSS-Reader/*」（「*」はワイルドカード）がクライアントリストに登録されているため、ＵＩ付加が必要であると判断する。
【００３５】
図７（ｂ）のようにリクエストにクライアントのユーザＩＤを示すオーソライゼーション（Authorization）を付加情報として含める場合にあっては、ＵＩ付加が必要なクライアントのユーザＩＤを予め登録したクライアントリストを用い、リクエストから抽出したクライアントのオーソライゼーション（エンコードされている場合にはデコードしたもの）がクライアントリストに登録されている場合にはＵＩ付加が必要であると判断する。ここでは、オーソライゼーションとして「foo : bar」が抽出されたとすると、「foo」がクライアントリストに登録されているため、ＵＩ付加が必要であると判断する。
【００３６】
図７（ｃ）のようにリクエストに特に付加情報を含めない場合にあっては、ＵＩ付加が必要なクライアントのＩＰアドレスを予め登録したクライアントリストを用い、リクエストから抽出したクライアントのＩＰアドレスがクライアントリストに登録されている場合にはＵＩ付加が必要であると判断する。なお、「192.168.10.0/24」における「/24」は、ＣＩＤＥＲ（Classless Inter-Domain Routing）により上位２４ビットが共通するＩＰアドレス、すなわち「192.168.10.1」〜「192.168.10.255」のアドレスブロックを示すものである。ここでは、ＩＰアドレスとして「192.168.10.10」が抽出されたとすると、クライアントリストに登録された「192.168.10.0/24」に含まれるため、ＵＩ付加が必要であると判断する。
【００３７】
次いで、図６に戻り、ＵＩ付加が必要である場合（ステップＳ１１３のＹｅｓ）はＵＩを示すコンテンツ（ＨＴＭＬ（Hyper Text Markup Language）で記述されたＵＩ表示用のモジュール）を付加する（ステップＳ１１４）。ＵＩ付加が必要でない場合（ステップＳ１１３のＮｏ）、コンテンツ付加は行わない。
【００３８】
そして、ＲＳＳフィードのためのテンプレートにコンテンツを埋め込んでＵＩ付きＦｅｅｄの生成を完了する（ステップＳ１１５）。図８〜図１０はＵＩ付きＲＳＳの例を示す図であり、ＸＭＬ（eXtensible Markup Language）形式で記述されている。図８は、form要素およびinput要素からなる記述Ｄ１によって出力ボタン、転送ボタンおよび返信ボタンを表示するようにしたものである。図９は、ネームスペースの記述Ｄ２１で定義したＵＩ「rssui」を記述Ｄ２２で呼び出すことで出力ボタン、転送ボタンおよび返信ボタンを表示するようにしたものである。図１０は、category要素の記述Ｄ３でＵＩ「ui="forward_print reply"」を呼び出すことで出力ボタン、転送ボタンおよび返信ボタンを表示するようにしたものである。
【００３９】
生成されたＲＳＳフィードはＲＳＳ配信機能付きＦＡＸ装置１からクライアント３にレスポンスとして返される。図７（ｄ）はレスポンスの例を示しており、ヘッダ部分「HTTP/1.1 200 OK Content-Type:application/xml」に続いてＸＭＬ形式のＲＳＳフィードが含まれる。
【００４０】
図１１はクライアント３におけるＵＩ表示の処理例を示すフローチャートである。
【００４１】
図１１において、クライアント３のＵＩ表示部３３は、ＲＳＳフィードを受け付け（ステップＳ１２１）、ＲＳＳフィードを解析する（ステップＳ１２２）。
【００４２】
次いで、ＲＳＳフィードの先頭から終わりまで繰り返し処理を開始する（ステップＳ１２３）。
【００４３】
繰り返し処理においては、ＲＳＳに含まれるタグが理解できるものであるか否か判断し（ステップＳ１２４）、理解できるタグである場合（ステップＳ１２４のＹｅｓ）は画面表示のタグであるか否か判断する（ステップＳ１２５）。
【００４４】
画面表示のタグである場合（ステップＳ１２５のＹｅｓ）は、対応するＵＩはあるか否か判断し（ステップＳ１２６）、対応するＵＩがある場合（ステップＳ１２６のＹｅｓ）はＵＩ表示を行う（ステップＳ１２７）。
【００４５】
また、理解できるタグでない場合（ステップＳ１２４のＮｏ）は、次の繰り返し処理に移行する。
【００４６】
画面表示のタグでない場合（ステップＳ１２５のＮｏ）は、タグで示された処理を実行し（ステップＳ１２８）、次の繰り返し処理に移行する。
【００４７】
対応するＵＩがない場合（ステップＳ１２６のＮｏ）は、次の繰り返し処理に移行する。
【００４８】
そして、ＲＳＳフィードの終わりまで処理した場合（ステップＳ１２９）、処理を終了する。
【００４９】
図１２はＵＩ付きＲＳＳフィードによるＲＳＳリーダの画面例を示す図であり、ＦＡＸ受信履歴から出力（印刷）および転送を行えるようにしたものである。
【００５０】
図１２において、ＲＳＳリーダ画面３１０ａは、クライアント３からＲＳＳ配信機能付きＦＡＸ装置１にＲＳＳ取得を要求して得たＵＩ付きＲＳＳフィードに基づいて表示されたものである。
【００５１】
ＲＳＳリーダ画面３１０ａでは、受信案件（アイテム）毎に受信日時３１１、送信元３１２、プレビュー画像３１３等の情報が表示されるほか、埋め込まれたＵＩとして、出力ボタン３１４、転送ボタン３１５および返信ボタン３１６が表示されている。図８のＲＳＳの例では、form要素およびinput要素からなる記述Ｄ１によって出力ボタン３１４、転送ボタン３１５および返信ボタン３１６が表示される。図９のＲＳＳの例では、ネームスペースの記述Ｄ２１で定義したＵＩ「rssui」を記述Ｄ２２で呼び出すことで出力ボタン３１４、転送ボタン３１５および返信ボタン３１６を表示される。図１０のＲＳＳの例では、category要素の記述Ｄ３でＵＩ「ui="forward_print"」を呼び出すことで出力ボタン３１４、転送ボタン３１５および返信ボタン３１６が表示される。
【００５２】
図１２に戻り、ＲＳＳリーダ画面３１０ａの出力ボタン３１４を選択（クリック）することで確認画面３１０ｂが表示され、確認画面３１０ｂでＯＫボタン３１７を選択することで確認が行われ、印刷が行われる。図１３は出力ボタン３１４の選択からＯＫボタン３１７の選択までにやりとりされるリクエストおよびレスポンスの例を示す図であり、ＲＳＳリーダ画面３１０ａの出力ボタン３１４の選択によりクライアント３からＲＳＳ配信機能付きＦＡＸ装置１に（ａ）に示すようなリクエストが送られ、ＲＳＳ配信機能付きＦＡＸ装置１から（ｂ）に示すような確認画面３１０ｂのＨＴＭＬを含むレスポンスが送られる。また、確認画面３１０ｂのＯＫボタン３１７を選択することで（ｃ）に示すようなリクエストがクライアント３からＲＳＳ配信機能付きＦＡＸ装置１に送られる。
【００５３】
図１２に戻り、ＲＳＳリーダ画面３１０ａの転送ボタン３１５を選択することで転送先の情報入力画面３１０ｃが表示され、情報入力画面３１０ｃで転送先を適宜入力（アドレス帳から選択）してＯＫボタン３１８を選択することで確認画面３１０ｅが表示され、確認画面３１０ｅでＯＫボタン３１９を選択することで確認が行われ、転送が行われる。図１４は転送ボタン３１５の選択からＯＫボタン３１９の選択までにやりとりされるリクエストおよびレスポンスの例を示す図であり、ＲＳＳリーダ画面３１０ａの転送ボタン３１５の選択によりクライアント３からＲＳＳ配信機能付きＦＡＸ装置１に（ａ）に示すようなリクエストが送られ、ＲＳＳ配信機能付きＦＡＸ装置１から（ｂ）に示すような情報入力画面３１０ｃのＨＴＭＬを含むレスポンスが送られる。また、情報入力画面３１０ｃに転送先を入力してＯＫボタン３１８を選択することで（ｃ）に示すような転送先等の情報を含んだリクエストがクライアント３からＲＳＳ配信機能付きＦＡＸ装置１に送られ、ＲＳＳ配信機能付きＦＡＸ装置１からは（ｄ）に示すような確認画面３１０ｅのＨＴＭＬを含むレスポンスが送られる。そして、確認画面３１０ｅのＯＫボタン３１９を選択することで（ｅ）に示すようなリクエストがクライアント３からＲＳＳ配信機能付きＦＡＸ装置１に送られる。
【００５４】
図１２に戻り、ＲＳＳリーダ画面３１０ａの返信ボタン３１６を選択することで返信文書を指定するためのファイル選択画面３１０ｄが表示され、ファイル選択画面３１０ｄで返信する文書を適宜選択（ファイル名を直接入力するか選択ボタン３２０によりファイルリストから選択）してＯＫボタン３２１を選択することで確認画面３１０ｅが表示され、確認画面３１０ｅでＯＫボタン３１９を選択することで確認が行われ、返信が行われる。図１５は返信ボタン３１６の選択からＯＫボタン３１９の選択までにやりとりされるリクエストおよびレスポンスの例を示す図であり、ＲＳＳリーダ画面３１０ａの返信ボタン３１６の選択によりクライアント３からＲＳＳ配信機能付きＦＡＸ装置１に（ａ）に示すようなリクエストが送られ、ＲＳＳ配信機能付きＦＡＸ装置１から（ｂ）に示すようなファイル選択画面３１０ｄのＨＴＭＬを含むレスポンスが送られる。また、ファイル選択画面３１０ｄで返信する文書を選択してＯＫボタン３２１を選択することで（ｃ）に示すような返信する文書の情報を含んだリクエストがクライアント３からＲＳＳ配信機能付きＦＡＸ装置１に送られ、ＲＳＳ配信機能付きＦＡＸ装置１からは（ｄ）に示すような確認画面３１０ｅのＨＴＭＬを含むレスポンスが送られる。そして、確認画面３１０ｅのＯＫボタン３１９を選択することで（ｅ）に示すようなリクエストがクライアント３からＲＳＳ配信機能付きＦＡＸ装置１に送られる。
【００５５】
図１６はＵＩ付きＲＳＳフィードによるＲＳＳリーダの他の画面例を示す図である。
【００５６】
図１６において、ＲＳＳリーダ画面３３０ａは、クライアント３からＲＳＳ配信機能付きＦＡＸ装置１にＲＳＳ取得を要求して得たＵＩ付きＲＳＳフィードに基づいて表示されたものである。
【００５７】
ＲＳＳリーダ画面３３０ａでは、受信案件（アイテム）毎に受信日時３３１、送信元３３２が表示されるとともに、当該アイテムを選択するチェックボックス３３３が設けられている。また、一括出力ボタン３３４および一括転送ボタン３３５が設けられている。
【００５８】
ここで、ＲＳＳリーダ画面３３０ａから所望のアイテムのチェックボックス３３３を選択した上で、一括出力ボタン３３４を選択することで確認画面３３０ｂが表示され、確認画面３３０ｂで両面・集約設定チェックボックス３３６を適宜に選択した上でＯＫボタン３３７を選択することで確認が行われ、一括印刷が行われる。
【００５９】
また、ＲＳＳリーダ画面３３０ａの一括転送ボタン３３５を選択することで転送先の情報入力画面３３０ｃが表示され、情報入力画面３３０ｃで転送先を適宜入力（アドレス帳から選択）してＯＫボタン３３８を選択することで確認画面３３０ｄが表示され、確認画面３３０ｄでＯＫボタン３３９を選択することで確認が行われ、一括転送が行われる。
【００６０】
なお、図１２に示したのと同様に「一括返信ボタン」を設け、選択した複数の受信案件に対して一括に返信を行えるようにしてもよい。
【００６１】
図１７はＵＩ付きＲＳＳフィードによるＲＳＳリーダの他の画面例を示す図であり、ＦＡＸ送信履歴から再送信および出力（印刷）を行えるようにしたものである。
【００６２】
図１７において、ＲＳＳリーダ画面３４０ａは、クライアント３からＲＳＳ配信機能付きＦＡＸ装置１にＲＳＳ取得を要求して得たＵＩ付きＲＳＳフィードに基づいて表示されたものである。
【００６３】
ＲＳＳリーダ画面３４０ａでは、送信案件（アイテム）毎に送信日時３４１、送信結果３４２、宛先３４３、プレビュー画像３４４が表示されるほか、埋め込まれたＵＩとして、再送信ボタン３４５および出力ボタン３４６が表示されている。
【００６４】
ここで、ＲＳＳリーダ画面３４０ａの出力ボタン３４６を選択することで確認画面３４０ｂが表示され、確認画面３４０ｂでＯＫボタン３４７を選択することで確認が行われ、印刷が行われる。
【００６５】
また、ＲＳＳリーダ画面３４０ａの再送信ボタン３４５を選択することで情報入力画面３４０ｃが表示され、情報入力画面３４０ｃで再送信先を適宜入力（ラジオボタン３４８、３４９により前回と同じか別の宛先を選択し、別の宛先の場合はアドレス帳から選択）してＯＫボタン３５０を選択することで確認画面３４０ｄが表示され、確認画面３４０ｄでＯＫボタン３５１を選択することで確認が行われ、再送信が行われる。
【００６６】
以上のように、本発明を適用したＲＳＳ配信機能付きＦＡＸ装置１にあっては、ＲＳＳにＵＩの記述を含めるようにしたので、通常のＲＳＳリーダ等から出力・転送等の操作を行うことができ、利便性の更なる向上を図ることができる。
【００６７】
図１８はＲＳＳ配信集約装置による他の実施形態の構成例を示す図である。すなわち、上述した実施形態ではＲＳＳ配信機能付きＦＡＸ装置に本発明を適用したものであるが、以下の実施形態では通常のＦＡＸ装置（ＲＳＳ配信機能を有しているか否かを問わない）を対象として、複数のＦＡＸ装置から収集した情報に基づいてＲＳＳ配信集約装置４によりＲＳＳ配信を集中的に行なうようにしている。
【００６８】
図１８（ａ）は、独自のネットワーク５に接続された複数のＦＡＸ装置６Ａ、６Ｂ、・・・の情報を、ネットワーク５に接続されたＲＳＳ配信集約装置４により収集し、クライアント３からネットワーク２を介してＲＳＳ配信集約装置４に行なわれるＲＳＳ取得のリクエストに対し、ＲＳＳ配信集約装置４からＵＩを含んだＲＳＳフィードを配信するようにしている。
【００６９】
図１８（ｂ）は、共通のネットワーク２に接続された複数のＦＡＸ装置６Ａ、６Ｂ、・・・の情報を、同じネットワーク２に接続されたＲＳＳ配信集約装置４により収集し、クライアント３からネットワーク２を介してＲＳＳ配信集約装置４に行なわれるＲＳＳ取得のリクエストに対し、ＲＳＳ配信集約装置４からＵＩを含んだＲＳＳフィードを配信するようにしている。
【００７０】
図１９はＲＳＳ配信集約装置４およびＦＡＸ装置６（ＦＡＸ装置６Ａ、６Ｂ、・・・）の構成例を示す図である。
【００７１】
図１９（ａ）において、ＲＳＳ配信集約装置４は、ネットワーク２を介したクライアント３からのリクエストを受け付けるリクエスト受付部４１と、リクエストに対するレスポンス（ＨＴＴＰによるレスポンス）を出力するレスポンス出力部４２と、ＲＳＳ取得のリクエストを行ってきたクライアント３に応じてＵＩを含んだＲＳＳフィードを生成するＦｅｅｄ／ＵＩ生成部４３と、複数のＦＡＸ装置６Ａ、６Ｂ、・・・等からＲＳＳフィードによりコンテンツ（送受信ＦＡＸ画像、送信元、宛先、送受信日時、ＦＡＸ画像ＩＤ等）の収集を行なうコンテンツ収集部４７と、既存のＦＡＸ装置６Ａ、６Ｂ、・・・が持つインタフェースを利用してコンテンツの加工（ＲＳＳ形式への変換）を行なってコンテンツ収集部４７にコンテンツを引き渡すコンテンツ処理部４８とを備えている。
【００７２】
Ｆｅｅｄ／ＵＩ生成部４３は、ＦＡＸ送受信履歴のコンテンツを保持するコンテンツ保持部４４と、クライアント３からのリクエストを処理するリクエスト処理部４５と、ＲＳＳフィードを生成するＦｅｅｄ生成部４６とを備えている。
【００７３】
図１９（ｂ）において、ＦＡＸ装置６（６Ａ、６Ｂ、・・・）は、コンテンツをＲＳＳフィードもしくは既存のインタフェースで出力するコンテンツ出力部６１と、他のＦＡＸ装置等とＦＡＸデータの送受信を行うＦＡＸ送受信部６２と、ＦＡＸ受信画像の印刷を行う印刷部６３とを備えている。
【００７４】
動作にあっては、ＲＳＳ配信集約装置４が複数のＦＡＸ装置６Ａ、６Ｂ、・・・からコンテンツを収集して保持する他は、図５〜図１７におけるＲＳＳ配信機能付きＦＡＸ装置１をＲＳＳ配信集約装置４に置き換えたものと同様の動作となる。
【００７５】
図２０はＲＳＳ配信集約装置による更に他の実施形態の構成例を示す図であり、ＦＡＸ装置６Ａ、６Ｂ、・・・以外に、同じく画像コンテンツを扱うコピー装置７Ａ、７Ｂ、・・・やスキャナ装置８Ａ、８Ｂ、・・・、あるいはブログサーバ９をも対象とし、これらからコンテンツをＲＳＳ配信集約装置４により収集し、クライアント３からネットワーク２を介してＲＳＳ配信集約装置４に行なわれるＲＳＳ取得のリクエストに対し、ＲＳＳ配信集約装置４からＵＩを含んだＲＳＳフィードを配信するようにしたものである。なお、コピー装置７Ａ、７Ｂ、・・・やスキャナ装置８Ａ、８Ｂ、・・・、および、当然ながらブログサーバ９には、自己のコンテンツをＲＳＳフィードもしくは既存のインタフェースで出力する機能が設けられているものとする。
【００７６】
この場合の動作も、ＲＳＳ配信集約装置４が複数のＦＡＸ装置６Ａ、６Ｂ、・・・、コピー装置７Ａ、７Ｂ、・・・、スキャナ装置８Ａ、８Ｂ、・・・、あるいはブログサーバ９からコンテンツを収集して保持する他は、図５〜図１７におけるＲＳＳ配信機能付きＦＡＸ装置１をＲＳＳ配信集約装置４に置き換えたものと同様となる。
【００７７】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００７８】
【図１】従来のＲＳＳ配信機能付きＦＡＸ装置から取得したＲＳＳをＲＳＳリーダで閲覧する場合の画面例を示す図である。
【図２】本発明を適用したＲＳＳ配信機能付きＦＡＸ装置を含むシステムの構成例を示す図である。
【図３】ＲＳＳ配信機能付きＦＡＸ装置の構成例を示す図である。
【図４】クライアントの構成例を示す図である。
【図５】システムの処理例を示すシーケンス図である。
【図６】ＵＩ付きＦｅｅｄ生成の処理例を示すフローチャートである。
【図７】ＲＳＳ取得のリクエスト、クライアントリストおよびレスポンスの例を示す図である。
【図８】ＵＩ付きＲＳＳの例を示す図（その１）である。
【図９】ＵＩ付きＲＳＳの例を示す図（その２）である。
【図１０】ＵＩ付きＲＳＳの例を示す図（その３）である。
【図１１】ＵＩ表示の処理例を示すフローチャートである。
【図１２】ＵＩ付きＲＳＳフィードによるＲＳＳリーダの画面例を示す図（その１）である。
【図１３】出力ボタンの選択からＯＫボタンの選択までにやりとりされるリクエストおよびレスポンスの例を示す図である。
【図１４】転送ボタンの選択からＯＫボタンの選択までにやりとりされるリクエストおよびレスポンスの例を示す図である。
【図１５】返信ボタンの選択からＯＫボタンの選択までにやりとりされるリクエストおよびレスポンスの例を示す図である。
【図１６】ＵＩ付きＲＳＳフィードによるＲＳＳリーダの画面例を示す図（その２）である。
【図１７】ＵＩ付きＲＳＳフィードによるＲＳＳリーダの画面例を示す図（その３）である。
【図１８】ＲＳＳ配信集約装置による他の実施形態の構成例を示す図である。
【図１９】ＲＳＳ配信集約装置およびＦＡＸ装置の構成例を示す図である。
【図２０】ＲＳＳ配信集約装置による更に他の実施形態の構成例を示す図である。
【符号の説明】
【００７９】
１                ＲＳＳ配信機能付きＦＡＸ装置
１１              リクエスト受付部
１２              レスポンス出力部
１３              Ｆｅｅｄ／ＵＩ生成部
１４              コンテンツ保持部
１５              リクエスト処理部
１６              Ｆｅｅｄ生成部
１７              ＦＡＸ送受信部
１８              印刷部
２                ネットワーク
３                クライアント
３１              リクエスト送信部
３２              パラメータ生成部
３３              ＵＩ表示部
３４              レスポンス受付部
３５              ＲＳＳ解析部
３６              ＵＩ情報保持部
３７              解析結果表示部
４                ＲＳＳ配信集約装置
４１              リクエスト受付部
４２              レスポンス出力部
４３              Ｆｅｅｄ／ＵＩ生成部
４４              コンテンツ保持部
４５              リクエスト処理部
４６              Ｆｅｅｄ生成部
４７              コンテンツ収集部
４８              コンテンツ処理部
５                ネットワーク
６、６Ａ、６Ｂ    ＦＡＸ装置
６１              コンテンツ出力部
６２              ＦＡＸ送受信部
６３              印刷部
７Ａ、７Ｂ        コピー装置
８Ａ、８Ｂ        スキャナ装置
９                ブログサーバ
【図１】
2008079293.tif 000003
【図２】
2008079293.tif 000004
【図３】
2008079293.tif 000005
【図４】
2008079293.tif 000006
【図５】
2008079293.tif 000007
【図６】
2008079293.tif 000008
【図７】
2008079293.tif 000009
【図８】
2008079293.tif 000010
【図９】
2008079293.tif 000011
【図１０】
2008079293.tif 000012
【図１１】
2008079293.tif 000013
【図１２】
2008079293.tif 000014
【図１３】
2008079293.tif 000015
【図１４】
2008079293.tif 000016
【図１５】
2008079293.tif 000017
【図１６】
2008079293.tif 000018
【図１７】
2008079293.tif 000019
【図１８】
2008079293.tif 000020
【図１９】
2008079293.tif 000021
【図２０】
2008079293.tif 000022